(57)【要約】【課題】安価に製造でき、かつ蓋板の着脱も容易にできる蓋装置を提供する。【解決手段】冷蔵庫本体１０の上面の奥側領域には上面開口の隆起部２８が設けられ、その上面開口部３０の上方を覆うようにして、前面に傾斜した出入口４８が形成された箱形をなすキャビネット４０が設けられ、その出入口４８を開閉する左右２枚の蓋板７０が備えられる。蓋板７０の後縁には、鈎状をなす被係止部７３が設けられる一方、キャビネット４０の天面壁４１Ｃの前縁部の上面に、鈎状をなす係止部５６を有する係止部材５５が設けられ、蓋板７０の被係止部７３がキャビネット４０側の係止部５６に対して回動可能に係止される。被係止部７３及び係止部５６には、低摩擦係数を示す材質になるスライダ６０が被着される。【選択図】図２
2009233146.tif 000002
【特許請求の範囲】
【請求項１】
機器本体の上部位置には、前面に出入口が形成された箱形部が設けられ、この箱形部の前記出入口を開閉可能な蓋板が備えられたものにおいて、前記蓋板の後縁には、この蓋板が水平姿勢を取った場合に下向きに突出する被係止部が設けられる一方、前記箱形部の天面の前縁には上向きに突出した係止部が設けられ、前記蓋板の前記被係止部が前記箱形部の前記係止部に回動可能に係止される構成となっていることを特徴とする機器の蓋装置。
【請求項２】
前記機器本体の上面には開口部が形成されてこの開口部の上方を覆うようにして前記箱形部が設けられ、この箱形部の前記出入口が、上縁よりも下縁の方が手前側に突き出した斜め姿勢に形成されていることを特徴とする請求項１記載の機器の蓋装置。
【請求項３】
前記蓋板の後縁に設けられた被係止部の突出端には前方に屈曲された屈曲部が形成されているとともに、前記箱形部の天面の前縁に設けられた係止部の突出端には後方に屈曲された屈曲部が形成されていることを特徴とする請求項１または請求項２記載の機器の蓋装置。
【請求項４】
前記蓋板の前記被係止部と前記箱形部の前記係止部には、低摩擦係数を示す材質になるスライダが被着されていることを特徴とする請求項１ないし請求項３のいずれか一項に記載の機器の蓋装置。
【請求項５】
前記蓋板の前縁には、この蓋板が水平姿勢を取った場合において上向き続いて後向きに二度曲げされてなる把手が形成されていることを特徴とする請求項１ないし請求項４のいずれか一項に記載の機器の蓋装置。
【請求項６】
前記箱形部の天面の後縁には、前記蓋板の後縁の前記被係止部を当てるストッパが設けられていることを特徴とする請求項１ないし請求項５のいずれか一項に記載の機器の蓋装置。
【請求項７】
前記箱形部の天面の左右の側縁には、前記蓋板の左右の側縁を沿わせるガイドが設けられていることを特徴とする請求項１ないし請求項６のいずれか一項に記載の機器の蓋装置。
【請求項８】
前記機器が、断熱箱体からなる貯蔵庫本体の内部が冷却される冷却貯蔵庫であることを特徴とする請求項１ないし請求項７のいずれか一項に記載の機器の蓋装置。
【発明の詳細な説明】
【技術分野】
【０００１】
本発明は、冷却貯蔵庫等の機器の蓋装置に関する。
【背景技術】
【０００２】
例えば冷凍ショーケースは、断熱箱体製で内部を冷凍室としたケース本体の上部位置に、前面に斜め姿勢の出入口が形成された箱形部が設けられ、その出入口に、透明な蓋が開閉可能に装着された構造である。  
そして従来、蓋を開閉する装置としては、スライド形式のもの（例えば特許文献１）と、回転形式のもの（例えば特許文献２）とが知られている。前者のスライド形式のものは、箱形部の天井部にレールを設けるとともに、蓋やレールにローラを設け、蓋が斜め姿勢を取って出入口を閉鎖する一方、水平姿勢を取りつつレール側にスライドされることで出入口を開放するものである。また、後者の回転形式のものは、箱形部の天井面の前縁に、蓋の上縁を跳ね上げ式の回転自由に軸支した構造である。
【特許文献１】実開昭６１−６１８３号公報
【特許文献２】特公平４−５７３２９号公報
【発明の開示】
【発明が解決しようとする課題】
【０００３】
しかしながら上記従来のものはいずれも、部品点数が多く、構造や製造工程も複雑であって、製造コストが高く付く不具合があり、また、蓋自身を簡単に取り外せないために掃除をする場合に不便であって、新たな装置の出現が切望されていた。  
本発明は上記のような事情に基づいて完成されたものであって、その目的は、安価に製造でき、かつ蓋板の着脱も容易にできる蓋装置を提供するところにある。
【課題を解決するための手段】
【０００４】
本発明の機器の蓋装置は、機器本体の上部位置には、前面に出入口が形成された箱形部が設けられ、この箱形部の前記出入口を開閉可能な蓋板が備えられたものにおいて、前記蓋板の後縁には、この蓋板が水平姿勢を取った場合に下向きに突出する被係止部が設けられる一方、前記箱形部の天面の前縁には上向きに突出した係止部が設けられ、前記蓋板の前記被係止部が前記箱形部の前記係止部に回動可能に係止される構成となっているところに特徴を有する。
【０００５】
上記構成によれば、蓋板が箱形部の天面に載せられることで出入口が開放され、この状態から蓋板を天面に沿って手前にスライドさせると、蓋板の後縁の下向きの被係止部が、天面の前縁の上向きの係止部に係止することでスライドが停止され、それとともに蓋板は、同係止部分を回動中心として下方に回動することで出入口が閉鎖される。出入口を再度開く場合は、蓋板の前縁を持ち上げて略水平姿勢としたのち、箱形部の天面に沿うように後方にスライドさせればよい。  
蓋板の後縁に被係止部を、箱形部の天面の前縁に係止部を設けただけの簡単な構造であるから、安価に対応でき、また蓋板を閉鎖状態から水平姿勢に向けて持ち上げれば引き続いて簡単に取り外すことが可能であって、蓋板を単体で掃除する場合に便利となる。
【０００６】
また、以下のような構成としてもよい。  
（１）前記機器本体の上面には開口部が形成されてこの開口部の上方を覆うようにして前記箱形部が設けられ、この箱形部の前記出入口が、上縁よりも下縁の方が手前側に突き出した斜め姿勢に形成されている。機器本体の上面の開口部付近に配された品物を、箱形部の前面の出入口を通して取り出す構造の機器について、適用することができる。
【０００７】
（２）前記蓋板の後縁に設けられた被係止部の突出端には前方に屈曲された屈曲部が形成されているとともに、前記箱形部の天面の前縁に設けられた係止部の突出端には後方に屈曲された屈曲部が形成されている。被係止部と係止部とが鈎状をなして互いにかみ合う構造となるから、蓋板が前方に飛び出ようとするのをより確実に規制でき、また蓋板が閉じられた場合の係止部分での外れが防止できる。
【０００８】
（３）前記蓋板の前記被係止部と前記箱形部の前記係止部には、低摩擦係数を示す材質になるスライダが被着されている。蓋板が箱形部の天面に沿って押し引きされる場合に、蓋板の被係止部が箱形部の天面上を、また箱形部の係止部が蓋板の裏面上を摺接されるが、被係止部と係止部には低摩擦係数を示す材質になるスライダが被着されていることで摩擦抵抗が低減され、蓋板の押し引き操作すなわち出入口の開閉操作を小さな力で行うことができる。
【０００９】
（４）前記蓋板の前縁には、この蓋板が水平姿勢を取った場合において上向き続いて後向きに二度曲げされてなる把手が形成されている。蓋板は、把手に手を掛けて開閉操作される。  
（５）前記箱形部の天面の後縁には、前記蓋板の後縁の前記被係止部を当てるストッパが設けられている。蓋板の後方への飛び出しが防止される。
【００１０】
（６）前記箱形部の天面の左右の側縁には、前記蓋板の左右の側縁を沿わせるガイドが設けられている。蓋板の押し引き操作をよりスムーズに行うことができる。  
（７）前記機器が、断熱箱体からなる貯蔵庫本体の内部が冷却される冷却貯蔵庫である。冷却貯蔵庫に適用することができる。
【発明の効果】
【００１１】
本発明によれば、蓋板に被係止部を、箱形部の天面に係止部を設けただけの簡単な構造であるから安価に対応でき、また蓋板の着脱も容易にできることから蓋板を単体で掃除する場合等に便利となる。
【発明を実施するための最良の形態】
【００１２】
＜実施形態＞
以下、本発明の一実施形態を図１ないし図１１に基づいて説明する。この実施形態では、例えばピザのトッピング作業に用いるべくトッピング材料の保冷部と調製台とを備えた冷蔵庫を例示している。  
図１及び図２において、符号１０は冷蔵庫本体であって、前面が開口された横長の断熱箱体により形成され、内部が冷蔵室１１となっており、下面の四隅に設けられたキャスタ１２により移動可能に支持されている。冷蔵室１１の前面開口部１３には、一対の断熱扉１４が観音開き式に装着されている。  
冷蔵庫本体１０の正面から見た左側には機械室１５が設けられており、この機械室１５内の上部位置には、蒸発器室１７が本体１０内と連通して膨出形成され、その中に蒸発器１８と庫内ファン１９とが収納されている。一方、機械室１５内の下部側には、圧縮機２１、凝縮器２２等を有する冷凍ユニット２０が収納され、蒸発器１８と冷媒配管により接続されている。
【００１３】
そして、冷凍ユニット２０（圧縮機２１）並びに庫内ファン１９が駆動されると、冷蔵室１１の左側面の下部側に設けられた吸込口２４から庫内空気が吸引されて、蒸発器１８を通過する間に熱交換されて冷気が生成され、この冷気が同側面の上部位置の吹出口２５から吹き出されて冷蔵室１１内に強制対流される。一方、冷蔵室１１内に設けられた温度センサ（図示せず）により冷蔵室１１の温度が検知され、この検知温度に基づいて圧縮機２１と庫内ファン１９の運転がオンオフ制御されることで、冷蔵室１１内が所定の冷蔵温度に冷却保持されるようになっている。
【００１４】
冷蔵庫本体１０と機械室１５との天面にわたって断熱性の天面板２７が張られている。天面板２７における奥側の半分強の領域には、一段高くなった隆起部２８が全幅にわたって形成されており、同天面板２７の手前側の一段下がった領域が、ピザのトッピング作業を行うための調製台２９となっている。  
上記した隆起部２８は上面に開口して形成され、かつこの上面開口部３０は、手前側に向けて下り勾配となった傾斜状に形成されている。この隆起部２８の上面開口部３０には、ホテルパン等からなる複数のトレイＴが、同上面開口部３０を塞ぐようにして並んで嵌められるようになっている。  
一方、上記した隆起部２８における冷蔵庫本体１０と対応する領域では、底面に連通開口３１が形成され、冷蔵室１１内の奥側の天井部と連通している。したがって、冷蔵室１１に供給された冷気の一部が隆起部２８内に流入して、トレイＴの底面と接触するようになっている。
【００１５】
隆起部２８の上面開口部３０の上面には、キャビネット４０（本発明の箱形部に相当）が設けられている。このキャビネット４０は、ステンレス鋼板等の金属板を組み付けて形成されており、大まかには、図３にも示すように、隆起部２８の上面開口部３０を全幅にわたって覆うことが可能な横長形状で、かつ下面と前面とが開口された箱形に形成されている。  
より詳細には、キャビネット４０の左右の側壁４１Ａと背壁４１Ｂとは、それぞれ内板４２と外板４３とを所定間隔を開けて配した二重壁構造とされて簡易断熱が施されている。一方、天面壁４１Ｃは一枚の板で形成されており、同天面壁４１Ｃの前縁部の裏面には、チャンネル材からなる補強材４４が装着されている。また、天面壁４１Ｃの前縁には、斜め下方に折り曲げられた折曲部４５（図６参照）が形成され、上記した左右の側壁４１Ａの前面における上端部と面一に接続されている。なお、折曲部４５の先端部は裏側に折り重ねられて補強されている。
【００１６】
キャビネット４０は、天面壁４１Ｃが水平姿勢を採った場合に、その底面４６が、上記した隆起部２８の上面と整合するように手前側に向けて下り勾配となった傾斜面となる形状に形成されている。  
したがってキャビネット４０は、その底面４６における左右の側縁と奥縁とが、隆起部２８の上面開口部３０における左右両側と奥側の口縁部とに当てられて取り付けられ、このとき天面壁４１Ｃが水平姿勢を採る。また、キャビネット４０の天面壁４１Ｃの前縁の折曲部４５、左右の側壁４１Ａの前面、及び隆起部２８における手前側の背の低い壁２８Ａの上縁との間に、キャビネット４０内を手前側に開口する出入口４８が形成されている。この出入口４８は、横長の長方形をなすとともに、上縁よりも下縁の方が手前側に突き出した斜め姿勢に形成されている。
【００１７】
キャビネット４０の天面壁４１Ｃの左右両端部、詳細には、左右の側壁４１Ａを構成する外板４３の上縁位置から、側板５０が所定寸法立ち上がり形成されている。一方、キャビネット４０の天面壁４１Ｃの奥縁部、詳細には、背壁４１Ｂを構成する内板４２の上縁位置から、ストッパ板５１が同寸法立ち上がり形成されている。さらに、左右の側板５０の中間位置には、同寸法立ち上がった仕切板５２が、前縁からストッパ板５１にわたって形成されている。したがって、キャビネット４０の天面壁４１Ｃの上には、仕切板５２を挟んだ左右両側に、後記する蓋板７０の収納領域５３が形成されている。
【００１８】
上記したキャビネット４０の出入口４８には、同出入口４８を開閉する２枚の蓋板７０が配設されている。この蓋板７０は、同じくステンレス鋼板等の金属板製であって、同一形状に形成されている。  
各蓋板７０は基本的には、キャビネット４０の間口寸法の半分、より詳細には仕切板５２と側板５０の間にほぼ緊密に挿通可能な横幅と、出入口４８の上下の口縁間よりも少し大きい縦幅を持った長方形に形成されている。なお、蓋板７０の縦幅はまた、天面壁４１Ｃの前縁からストッパ板５１までの奥行よりも少し長い寸法となっている。蓋板７０の手前側の端縁には、当該蓋板７０が水平姿勢を取った場合において、上方さらに後方に二度直角曲げされることで、把手７１が形成されている。
【００１９】
各蓋板７０は、詳しくは後記するように、後縁側を天面壁４１Ｃの前縁部に係止し、自身が斜め姿勢を取って出入口４８の周縁部に当接しつつ出入口４８の右または左半分を閉鎖し、一方、略水平姿勢を取って上記した収納領域５３に載せられることで出入口４８の右または左半分を開放するようになっている。  
天面壁４１Ｃの前縁部の上面には、ステンレス鋼板等の金属板をプレス成形してなる左右２本の係止部材５５が取り付けられている。各係止部材５５は同一形状であって、各収納領域５３の間口に匹敵する長さ寸法を有し、その断面形状は、図４に示すように、上方に所定寸法（１０数mm程度）立ち上がった係止部５６の上端に、後方に同寸法程度直角曲げされた屈曲部５７を設けた鈎形をなし、かつ係止部５６の下縁に、前方に直角曲げされた取付部５８が形成された形状である。
【００２０】
係止部材５５は、屈曲部５７が後方を向いた姿勢を取って、取付部５８が天面壁４１Ｃの上面の前縁に沿って当てられ、長さ方向の複数箇所をねじあるいはリベットで止めることによって固定されている。  
係止部材５５の係止部５６から屈曲部５７にわたり、合成樹脂材、特にＨＤＰＥ（高密度ポリエチレン）等の低摩擦係数を示す合成樹脂材からなるスライダ６０が被着されている。スライダ６０は押出成形によって形成され、係止部材５５における係止部５６の裏面、屈曲部５７の下面、屈曲部５７の上面並びに係止部５６の表面の上端部にわたり連続的に密着して覆えるように、全体として間に溝６１を設けた鈎形に形成されている。
【００２１】
一方、蓋板７０の後縁側には、上記したキャビネット４０側の係止部材５５に対して回動可能に係止する被係止部７３が設けられている。この被係止部７３は、蓋板７０が水平姿勢を取った場合において、同蓋板７０の後縁側が、上記の係止部材５５の係止部５６の高さの２倍強の寸法分だけ下方に向けて直角曲げされることで形成されている。また、同被係止部７３の下端に、前方に向けて係止部材５５側の屈曲部５７と同寸法直角曲げされた屈曲部７４が設けられている。すなわち、被係止部７３の下部側は、係止部材５５側と対向した鈎形に形成されている。  
また、被係止部７３の下端から屈曲部７４にわたり、上記したと同じ材質でかつ同じ断面形状を持ったスライダ６０が被着されている。改めるとスライダ６０は、被係止部７３の下端部の内面、屈曲部７４の上面、屈曲部７４の下面並びに被係止部７３の外面の下端部にわたり連続的に密着して被着されている。
【００２２】
したがって、蓋板７０が水平姿勢を取ってキャビネット４０の天面壁４１Ｃ上を前方に摺動すると、図８に参照して示すように、ともにスライダ６０が被着された状態において、蓋板７０側の屈曲部７４の先端が、係止部材５５の係止部５６の下端部の裏面に当たるとともに、係止部材５５の屈曲部５７の先端が被係止部７３の内面に当たることで、蓋板７０の前方への摺動が停止される。  
係る状態から蓋板７０の支持力を除去すると、図５及び図６に参照して示すように、蓋板７０は自重により、係止部材５５側の屈曲部５７の先端と被係止部７３の内面の当たり合った位置付近を回動中心Ｏとして、先下がりの斜め姿勢を取るように回動し、出入口４８の周縁部に当接しつつ出入口４８の右または左半分を閉鎖するようになっている。このとき蓋板７０の把手７１は、出入口４８の下縁部において、斜め奥側の上方に開口した形態を取っている。
【００２３】
続いて、本実施形態の作用を説明する。隆起部２８の上面開口部３０には、複数のトレイＴが同上面開口部３０を塞ぐようにして並んで装着され、各トレイＴ内には、ベーコン、チーズ、野菜等の各種トッピング材料が区分けして入れられる。トレイＴの底部側は庫内に臨んで冷気に晒されるために、収容されたトッピング材料等は保冷状態とされる。また、キャビネット４０の出入口４８は、図５に示すように、蓋板７０で閉じられた状態にある。
【００２４】
ピザを調製する場合は、調製台２９上にピザ生地を置いて、その上にトレイＴから取り出した各種トッピング材料を並べる。その場合、キャビネット４０の出入口４８を開放するのであるが、それには、図５の状態から、把手７１に手を掛けて蓋板７０の前端側を持ち上げ、上記の回動中心Ｏを中心にして同図の時計回り方向に回動させて、図７に示すように略水平姿勢に持ち来す。この場合、回動中心Ｏでは、低摩擦係数になるスライダ６０同士が当たり合っているから、蓋板７０の回動操作もスムーズに行える。
【００２５】
このように蓋板７０が略水平姿勢に起こされたら、図９に示すように、キャビネット４０の上面の対応する収納領域５３において、天面壁４１Ｃ上を押し込まれる。このとき、蓋板７０における被係止部７３の下端の屈曲部７４が天面壁４１Ｃ上を、また係止部材５５側の屈曲部５７が蓋板７０の裏面上を摺接するのであるが、両屈曲部５７，７４には低摩擦係数を示すスライダ６０が被着されていることで摩擦抵抗が低減される。また蓋板７０は、側板５０と仕切板５２との間にほぼ緊密に挟まれているから、側板５０と仕切板５２とで案内されつつ、がたつくことなく真直に押し込まれ、もって、蓋板７０の押し込み操作が小さな力でスムーズに行える。
【００２６】
蓋板７０の押し込みは、図１０に示すように、蓋板７０の被係止部７３に被着されたスライダ６０がストッパ板５１に当たることで規制され、このとき蓋板７０は、前端部寄りの位置の裏面を係止部材５５で受けられた状態で収納領域５３に支持され、これにより出入口４８が開放された状態となる。そうしたら、出入口４８を通して所望のトッピング材料を対応するトレイＴから取り出し、調製台２９上に置かれたピザ生地上に並べればよい。
【００２７】
所定のトッピング作業が終了したら、出入口４８を閉じる。その場合は、上記とほぼ逆の動作が行われ、まず図１０の状態から把手７１に手を掛けて、図９に示すように、蓋板７０を手前側に引っ張る。同じく、蓋板７０における被係止部７３の下端の屈曲部７４が天面壁４１Ｃ上を、また係止部材５５側の屈曲部５７が蓋板７０の裏面上を摺接するのであるが、両屈曲部５７，７４には低摩擦係数を示すスライダ６０が被着されていることで摩擦抵抗が低減され、また蓋板７０は、側板５０と仕切板５２との間に挟まれてそれらで案内されつつ真直に引っ張られ、同様に蓋板７０の引っ張り操作が小さな力でスムーズに行える。
【００２８】
図７及び図８に示すように、蓋板７０側の屈曲部７４の先端が、係止部材５５の係止部５６の下端部の裏面に当たるとともに、係止部材５５の屈曲部５７の先端が被係止部７３の内面に当たることで、蓋板７０の引っ張り操作が停止され、既述したように、蓋板７０の支持力を除去すると、図５及び図６に示すように、蓋板７０は自重により、係止部材５５側の屈曲部５７の先端と被係止部７３の内面の当たり合った位置付近を回動中心Ｏとして、先下がりの斜め姿勢を取るように回動し、出入口４８が閉鎖される。
【００２９】
また、蓋板７０を掃除する場合は、図７に示すように蓋板７０を略水平姿勢に持ち上げたのち、図９若しくは図１１の鎖線に示すように、蓋板７０を奥側に押し込むと、被係止部７３と係止部材５５との係止状態が解除されるから、引き続いて図１１の実線に示すように、蓋板７０を持ち上げることで外すことができる。したがって、蓋板７０をシンク等を備えた水場に持っていくことで、綺麗に水洗いすることができる。  
洗浄後に蓋板７０を装着する場合は、蓋板７０を少し奥側に持ち来した状態で略水平姿勢として収納領域５３に載せ、手前側に摺動させつつ被係止部７３を係止部材５５に係止させ、続いて係止部分を回動中心Ｏとして回動することにより、図５に示すように、閉鎖状態に装着できる。
【００３０】
本実施形態によれば、以下のような数々の利点を得ることができる。  
蓋板７０の後縁に下向きの鈎状をなす被係止部７３を設ける一方、キャビネット４０の天面壁４１Ｃの前縁に、上向きの鈎状をなす係止部５６を対向して有する係止部材５５を設けただけの簡単な構造により、キャビネット４０の出入口４８の開閉装置が達成できる。結果、安価に製造することができる。また、被係止部７３、係止部５６とも、寸法の変更等の要求があった場合に簡単に対応することができる。さらに小さな構成部品も不要であるから、外れてトッピング材料内に混入するおそれもない。
【００３１】
被係止部７３と係止部５６とが鈎状をなして互いにかみ合う構造としたから、蓋板７０を手前側にスライドさせて係止させた場合に、前方に飛び出ようとするのをより確実に規制でき、また、蓋板７０が勢い良く回動して衝撃を持って出入口４８を閉じるような場合も、係止部分で外れることが防止され、確実に閉蓋動作を行うことができる。  
蓋板７０を略水平姿勢に持ち上げて奥側に少し押し込めば、被係止部７３と係止部５６との係止状態が解除されるから、引き続いて蓋板７０を持ち上げることで簡単に外すことができ、蓋板７０を単体で掃除する場合に便利となる。
【００３２】
上記のように蓋板７０は被係止部７３が設けられただけの構造であるから、軽量に留め置かれる。また、蓋板７０がキャビネット４０の天面壁４１Ｃに沿って押し引きされる場合に、蓋板７０の被係止部７３（屈曲部７４）がキャビネット４０の天面壁４１Ｃ上を、またキャビネット４０の係止部５６（屈曲部５７）が蓋板７０の裏面上を摺接されるが、被係止部７３と係止部５６にはスライダ６０が被着されていることで摩擦抵抗が低減される。そのため蓋板７０の押し引き操作、すなわち出入口４８の開閉操作を小さな力で軽く行うことができる。また、押し引きする際に、擦れ合いに伴う異音の発生が抑制される。
【００３３】
被係止部７３と係止部５６に被着される両スライダ６０は、同一断面形状で形成されていて共用できるから、製造コストの低減に寄与できる。スライダ６０を被着することで、被係止部７３や係止部５６のエッジから保護するように覆うことができる。蓋板７０の押し込みは、被係止部７３がストッパ板５１に当たることで規制されるが、スライダ６０がクッションとして機能して、衝撃が緩和される。  
また係止部材５５は、キャビネット４０の天面壁４１Ｃの前縁部において全幅にわたって取り付けられているから、同天面壁４１Ｃを補強することに有効に機能する。
【００３４】
＜他の実施形態＞
本発明は上記記述及び図面によって説明した実施形態に限定されるものではなく、例えば次のような実施形態も本発明の技術的範囲に含まれる。  
（１）蓋板の被係止部やキャビネット側の係止部に被着したスライダは除去してもよく、そのようなものも本発明の技術的範囲に含まれる。  
（２）また、被係止部や係止部に屈曲部を設けないものであってもよい。  
（３）上記実施形態では、蓋板が２枚設けられた場合を例示したが、蓋板は１枚であっても、また３枚以上に分割されていてもよい。
【００３５】
（４）本発明は、保冷用食材がアイスクリーム等の場合のように、庫内を冷凍温度に維持する形式の保冷部付きの冷凍庫にも適用することができる。  
（５）また本発明は、冷蔵・冷凍ショーケースのように、上面開口のケース本体の上面を覆うようにして、前面に斜め姿勢の出入口が形成された箱形部が設けられ、その出入口に蓋板が設けられるようにした形式の保冷用機器にも同様にできる。  
（６）さらに本発明は、機器本体の上部位置に、前面に出入口が形成された箱形部が設けられ、この箱形部の出入口を開閉可能な蓋板が備えられた機器全般の蓋装置に適用することが可能である。
【図面の簡単な説明】
【００３６】
【図１】本発明の一実施形態に係る冷蔵庫の正面図
【図２】同縦断面図
【図３】隆起部からキャビネットにわたる部分の斜視図
【図４】蓋板の収納途中を示す部分縦断面図
【図５】キャビネットの出入口の閉鎖状態の縦断面図
【図６】図５のＡ部の拡大図
【図７】蓋板が水平姿勢に起こされた状態の縦断面図
【図８】図７のＢ部の拡大図
【図９】蓋板が天面壁上を押し引きされている状態の縦断面図
【図１０】キャビネットの出入口の開放状態の縦断面図
【図１１】蓋板の着脱動作を示す縦断面図
【符号の説明】
【００３７】
１０…冷蔵庫本体（貯蔵庫本体；機器本体）  ２８…隆起部  ３０…開口部  ４０…キャビネット（箱形部）  ４１Ｃ…天面壁（天面）  ４８…出入口  ５０…側板（ガイド）  ５１…ストッパ板（ストッパ）  ５２…仕切板（ガイド）  ５５…係止部材  ５６…係止部  ５７…屈曲部  ６０…スライダ  ７０…蓋板  ７１…把手  ７３…被係止部  ７４…屈曲部  Ｏ…回動中心
【図１】
2009233146.tif 000003
【図２】
2009233146.tif 000004
【図３】
2009233146.tif 000005
【図４】
2009233146.tif 000006
【図５】
2009233146.tif 000007
【図６】
2009233146.tif 000008
【図７】
2009233146.tif 000009
【図８】
2009233146.tif 000010
【図９】
2009233146.tif 000011
【図１０】
2009233146.tif 000012
【図１１】
2009233146.tif 000013